(57)【特許請求の範囲】
【請求項１】
任意の物体を収容可能なケースと、前記ケースに取り付けられた電子デバイスとを備えた収容体であって、
前記電子デバイスは、ディスプレイと、制御基板とを有し、
前記ディスプレイは前記ケースの外部から視認可能であり、
前記制御基板は、制御部と、前記制御部に接続された記憶部と、前記制御部に接続された通信用ＩＣと、前記通信用ＩＣに接続され、平面状に形成されたアンテナとを有し、
前記制御部は、前記ディスプレイに表示された内容、前記記憶部に格納された内容、及び、前記通信用ＩＣに格納された内容のうちの少なくとも一部のデータを前記アンテナから送信し、
前記アンテナが形成されている平面に垂直な厚さ方向において、前記アンテナから前記ケースまでに１ｍｍ以上の空隙が形成されている、収容体。
【請求項２】
前記ディスプレイの面の表面に垂直な厚さ方向において、前記ディスプレイの面の表面から前記電子デバイスの端縁までに１ｍｍ以上の空隙が形成されている、請求項１に記載の収容体。
【請求項３】
前記アンテナが形成されている平面に垂直な厚さ方向において、前記アンテナから前記ケースまでに５ｍｍ以上の空隙が形成されている、請求項１又は２に記載の収容体。
【請求項４】
請求項１〜３のいずれか一項に記載された前記ケースに取り付けられる電子デバイスであって、
前記ディスプレイ及び前記制御部を有している、電子デバイス。
【請求項５】
任意の物体を収容可能なケースに取り付けられる電子デバイスであって、
筐体と、前記筐体に収容されたディスプレイ及び制御基板とを有し、
前記筐体は、前記ディスプレイの表示面を視認可能な開口を有し、
前記制御基板は、制御部と、前記制御部に接続された記憶部と、前記制御部に接続された通信用ＩＣと、前記通信用ＩＣに接続され、平面状に形成されたアンテナとを有し、
前記制御部は、前記ディスプレイに表示された内容、前記記憶部に格納された内容、及び、前記通信用ＩＣに格納された内容のうちの少なくとも一部のデータを前記アンテナから送信し、
前記アンテナが形成されている平面から前記筐体における前記開口に対向する側の筐体内壁までに１ｍｍ以上の空隙が形成されている、電子デバイス。
【請求項６】
前記ディスプレイの面に垂直な厚さ方向において、前記ディスプレイの面の表面から前記筐体における前記開口が形成されている側の端縁までに１ｍｍ以上の空隙が形成されている、請求項５に記載の電子デバイス。
【発明の詳細な説明】
【技術分野】
【０００１】
本発明は、収容体及び電子デバイスに関する。
【背景技術】
【０００２】
特許文献１には、スーツケースの外側面に設けられた凹部に保持される電子バッグタグが開示されている。この電子バッグタグは、埋め込み式のディスプレイを有するとともに、ワイヤレス通信インターフェースを有している。そして、ワイヤレス通信インターフェースは、例えばＲＦＩＤ  ＵＨＦアンテナを含む。
【先行技術文献】
【特許文献】
【０００３】
【特許文献１】特表２０１４−５１６１７５号公報
【発明の概要】
【発明が解決しようとする課題】
【０００４】
しかしながら、特許文献１に記載された電子バッグタグでは、ディスプレイを含むスーツケースの外側表面がフラットに形成されている。そのため、スーツケースが輸送等される際に、ディスプレイに他の物体等が接触し、ディスプレイが損傷してしまう虞がある。
【０００５】
また、特に、スーツケースがアルミニウム、ジュラルミン等の金属によって形成されている場合や、スーツケース内に水等の液体が収容されている場合には、アンテナの通信特性が低下してしまう虞がある。
【０００６】
本発明は、任意の物体を収容可能な収容体に組み込まれた際に、アンテナの通信特性の低下を抑制する電子デバイスを提供することを目的とする。
【課題を解決するための手段】
【０００７】
本発明の一形態に係る収容体は、任意の物体を収容可能なケースと、ケースに取り付けられた電子デバイスとを備えた収容体であって、電子デバイスは、ディスプレイと、制御基板とを有し、ディスプレイはケースの外部から視認可能であり、制御基板は、制御部と、制御部に接続された記憶部と、制御部に接続された通信用ＩＣと、通信用ＩＣに接続され、平面状に形成されたアンテナとを有し、制御部は、ディスプレイに表示された内容、記憶部に格納された内容、及び、通信用ＩＣに格納された内容のうちの少なくとも一部のデータをアンテナから送信し、アンテナが形成されている平面に垂直な厚さ方向において、アンテナからケースまでに１ｍｍ以上の空隙が形成されている。
【０００８】
また、本発明の一形態に係る電子デバイスは、任意の物体を収容可能なケースに取り付けられる電子デバイスであって、筐体と、筐体に収容されたディスプレイ及び制御基板とを有し、筐体は、ディスプレイの表示面を視認可能な開口を有し、制御基板は、制御部と、制御部に接続された記憶部と、制御部に接続された通信用ＩＣと、通信用ＩＣに接続され、平面状に形成されたアンテナとを有し、制御部は、ディスプレイに表示された内容、記憶部に格納された内容、及び、通信用ＩＣに格納された内容のうちの少なくとも一部のデータを前記アンテナから送信し、アンテナが形成されている平面から筐体における開口に対向する側の筐体内壁までに１ｍｍ以上の空隙が形成されている。
【０００９】
このような収容体及び電子デバイスによれば、ケースに対して電子デバイスが取り付けられた状態では、ケースの表面とアンテナとの間に１ｍｍ以上の空間が形成される。これにより、アンテナとケースとが離間して配置されるので、アンテナの通信特性の低下が抑制される。
【００１０】
また、アンテナからケースまでに５ｍｍ以上の空隙が形成されている構成でもよい。この構成によれば、ケースの表面とアンテナとの間に対して、より大きな空間が形成されることにより、アンテナの通信特性の低下がさらに抑制される。
【００１１】
また、ディスプレイの面に垂直な厚さ方向において、ディスプレイの面の表面から筐体における開口が形成されている側の端縁までに１ｍｍ以上の空隙が形成されている構成でもよい。ディスプレイの表面よりも電子デバイスの端縁（筐体）が１ｍｍ以上突出して形成されているので、ディスプレイが視認できるように、ケースに対して電子デバイスが取り付けられた場合であっても、ディスプレイに対して他の物体等が当接し難くなる。これにより、ディスプレイの損傷が抑制される。
【発明の効果】
【００１２】
本発明の一形態に係る収容体及び電子デバイスによれば、任意の物体を収容可能なケースに組み込まれた状態における、アンテナの通信特性の低下を抑制することができる。
【図面の簡単な説明】
【００１３】
【図１】図１は、一形態に係る電子デバイスを示す斜視図である。
【図２】図２は、電子デバイスの断面図である。
【図３】図３は、電子デバイスの構成を示すブロック図である。
【図４】図４は、電子デバイスが取り付けられたスーツケースを示す斜視図である。
【図５】図５は、スーツケースに取り付けられた状態における電子デバイスの断面図である。
【発明を実施するための形態】
【００１４】
以下、本発明に係る実施の形態について図面を参照しながら具体的に説明する。便宜上、実質的に同一の要素には同一の符号を付し、その説明を省略する場合がある。なお、本発明は、任意の物体を収容可能な収容体に取り付けられる電子デバイスに広く適用可能である。以下の説明では、空港などの手荷物搬送システムでバッグタグとして用いられる電子デバイスがスーツケースに取り付けられた場合の一例について説明するが、これに限定されるものではない。
【００１５】
図１、図２は、それぞれ電子デバイスを示す斜視図、断面図である。また、図３は電子デバイスの構成を示すブロック図である。本実施形態に係る電子デバイス１は、筐体５と、筐体５に収容されたディスプレイ６及び制御基板７とを有している。電子デバイス１の筐体５は、平面視矩形状であり、裏側基材３と表側基材２とを含む。裏側基材３と表側基材２とは、例えばネジ等の締結部材５ａによって四隅が締結される。裏側基材３は、底板部３ａと、底板部３ａの周縁に形成された側板部３ｂとを備えた凹状であり、ディスプレイ６及び制御基板７を収容する。本実施形態では、底板部３ａ側から緩衝材８、制御基板７、ディスプレイ６が順次収容されている。緩衝材８は、例えば多孔構造を有したクッションである。緩衝材８は少なくとも１ｍｍ以上（図示例では例えば３ｍｍ）の厚さを有しており、制御基板７の裏面（緩衝材と接する面）７ａから底板部３ａの内壁までに部分的に緩衝材８が配置されることによって、空隙を形成している。緩衝材８が配置されていることによって、制御基板７は底板部３ａに接触しない。なお、「空隙」とは、妨げとなるものがない完全な開放空間のみを意味するものではなく、多孔構造のクッションによって一定面ないし全面が占有されている空間のように、連続する気泡等によって形成される隙間をも含む概念である。
【００１６】
また、底板部３ａの周縁には、側板部３ｂが形成されている側と反対側に突出した縁部３ｃが形成されている。本実施形態における縁部３ｃは底板部３ａの全周囲に沿って設けられている。底板部３ａに垂直な方向（ディスプレイ６表示面に垂直な厚さ方向）において、底板部３ａの外面から縁部３ｃの端縁までの距離Ｌ１は、１ｍｍ以上設けられており、本実施形態では、２ｍｍとなっている。これにより、底板部３ａに垂直な方向において、制御基板７から端縁までには、緩衝材８による空隙と合わせて５ｍｍ以上の空隙が形成されることになる。
【００１７】
表側基材２は、裏側基材３と連結されることによって筐体５を構成する。表側基材２は、上板部２ａと、上板部２ａの周縁に設けられた側板部２ｂとを備えている。上板部２ａには、矩形状の開口２ｃが形成されている。本実施形態では、開口２ｃの全面を覆うように保護パネル層４が設けられている。保護パネル層４は、例えば透明のアクリルパネルのような透光性を備える樹脂材によって形成されており、隣接するディスプレイ６を保護している。表側基材２と裏側基材３とが連結された状態では、開口２ｃが裏側基材３の底板部３ａに対向する。緩衝材８、制御基板７及びディスプレイ６が収容された裏側基材３と表側基材２とが連結されることによって、表側基材２の開口２ｃからディスプレイ６の表示面が視認可能となる。また、上板部２ａの周縁には、側板部２ｂが形成されている側と反対側に突出した縁部２ｄが形成されている。本実施形態における縁部２ｄは上板部２ａの全周囲に亘って設けられている。上板部２ａに垂直な方向（表示面に垂直な厚さ方向）において、ディスプレイ６における表示面の表面から縁部２ｄの端縁までの距離Ｌ２（空隙）は、１ｍｍ以上設けられており、本実施形態では、２ｍｍとなっている。
【００１８】
ディスプレイ６は、例えば、電気泳動方式や強誘電液晶、コレステリック液晶、エレクトロクロミック液晶等の電子ペーパーによって構成され得る。このようなディスプレイ６は、表示画像を保持するための消費電力が少ない（又は、消費電力を要しない）ので、電力の供給が停止されても表示を維持することができる。なお、電力が供給されている間のみディスプレイ６に表示がされるようにして、電子ペーパー以外の液晶表示器、有機ＥＬなどを用いてもよい。
【００１９】
ディスプレイ６に表示される画像は、従来の紙製のバッグタグに印刷されていた内容と同様にすることができる。すなわち、ディスプレイ６に表示される画像は、ハンドスキャナ、バーコードスキャナ、自動荷物スキャナなどの装置によって読取可能な一次元バーコードや二次元コードとすることができる。また、平文、リファレンス番号等をディスプレイ６に表示してもよい。これにより、電子デバイス１のデータを読み取るための無線設備が無い場合でも、従来の設備等を用いることによって、紙製のバッグタグと同様にバーコード等のデータを読み取ることができる。
【００２０】
制御基板７は、記憶部１１、ＨＦ帯ＩＣ（通信用ＩＣ）１２、ＨＦ帯アンテナ１３、電源回路１４、ＵＨＦ帯ＩＣ（通信用ＩＣ）１５及びＵＨＦ帯アンテナ１６と、これらに電気的に接続された制御部１７とを備えている。記憶部１１は、電子デバイス１の個体識別情報、旅程に関する情報（航空会社名、便名、経由地、最終目的地、タグナンバー等を含む）などの、各種情報を格納しており、例えば不揮発性メモリによって構成されている。
【００２１】
ＨＦ帯アンテナ１３は、１３．５６ＭＨｚのＨＦ周波数帯域を用いて近接距離の通信を行うことができる。この通信は、ＨＦ帯ＩＣ１２によって制御される。ＨＦ帯アンテナ１３によって、電子デバイス１は、ＩＳＯ／ＩＥＣ１４４４３ＴｙｐｅＡ／Ｂ、ＩＳＯ／ＩＥＣ１８０９２、ＦｅｌｉＣａ（登録商標）、ＮＦＣ（Ｎｅａｒ  Ｆｉｅｌｄ  Ｃｏｍｍｕｎｉｃａｔｉｏｎ）等の通信規格に対応したリーダライタ端末、ＮＦＣスマートフォン等と通信可能となっている。
【００２２】
ＵＨＦ帯アンテナ１６は、８６０ＭＨｚから９６０ＭＨｚのＵＨＦ周波数帯域を用いて通信を行うことができる。この通信は、ＵＨＦ帯ＩＣ１５によって制御される。例えば、ＵＨＦ帯域の通信に対応したリーダライタを備えた手荷物搬送システムによって、電子デバイス１の記憶部１１又はＵＨＦ帯ＩＣ１５内のメモリ領域に格納されたデータの読み取りが行われる。本実施形態におけるＵＨＦ帯アンテナ１６は、例えば、制御基板７におけるディスプレイ６と反対側の面に対して平面状に形成され、メアンダ状、ダイポール、ダブルダイポールなど種々の形状とすることができる。
【００２３】
制御部１７は、電子デバイス１全体の制御を行う。図３に示されるように、制御部１７は、記憶部１１、ＨＦ帯ＩＣ１２、ＨＦ帯アンテナ１３、電源回路１４、ＵＨＦ帯ＩＣ１５及びＵＨＦ帯アンテナ１６と接続されるとともに、スイッチ１８、ディスプレイ６及びＬＥＤ１９に接続されている。本実施形態における制御部１７は、例えばＭＣＵ（Ｍｉｃｒｏ  Ｃｏｎｔｒｏｌｌｅｒ  Ｕｎｉｔ）によって構成されており、例えば、有線Ｉ２Ｃ（Ｉｎｔｅｒ−ｉｎｔｅｇｒａｔｅｄ  Ｃｉｒｃｕｉｔ）インターフェースや、シリアルインターフェースＳＰＩ（Ｓｅｒｉａｌ  Ｐａｒａｌｌｅｌ  Ｉｎｔｅｒｆａｃｅ）、ＵＡＲＴ（Ｕｎｉｖｅｒｓａｌ  Ａｓｙｎｃｈｒｏｎｏｕｓ  Ｒｅｃｅｉｖｅｒ  Ｔｒａｓｍｉｔｔｅｒ）等によって記憶部１１、ＨＦ帯ＩＣ１２、ＨＦ帯アンテナ１３、電源回路１４、ＵＨＦ帯ＩＣ１５及びＵＨＦ帯アンテナ１６と電気接続されている。
【００２４】
制御部１７は、記憶部１１、ＨＦ帯ＩＣ１２内のメモリ領域、ＵＨＦ帯ＩＣ１５内のメモリ領域等に格納された各種情報の書き換え、及び、ディスプレイ６の表示内容の書き換えのための制御を行う。例えば、電子デバイス１では、ＮＦＣに対応したスマートフォン等のリーダライタ端末によってＨＦ帯ＩＣ１２及び制御部１７に給電が行われる。これによって、制御部１７は、記憶部１１、ＨＦ帯ＩＣ１２内のメモリ領域、ＵＨＦ帯ＩＣ１５内のメモリ領域等に格納された各種情報を、ＨＦ帯アンテナ１３で受信された新たな情報に更新することができる。また、制御部１７は、更新された情報に基づいて、ディスプレイ６の表示内容の書き換えを行うことができる。すなわち、ＨＦ帯アンテナ１３で受信された新たな情報の中にディスプレイ６に表示する情報が含まれている場合には、制御部１７はディスプレイ６の表示画像の書き換えを行う。また、受信された情報に基づいて制御部１７内のファームウェアによってディスプレイ６に表示する情報が生成された場合にも、制御部１７はディスプレイ６の表示画像の書き換えを行う。なお、本実施形態では、制御部１７にＬＥＤ１９が接続されている。例えば、制御部１７によって記憶部１１、ＨＦ帯ＩＣ１２内のメモリ領域、ＵＨＦ帯ＩＣ１５内のメモリ領域等のデータ、又は、ディスプレイ６の表示内容の書き換えが行われる場合に、書き換えの状況をＬＥＤ１９で通知するようにしてもよい。
【００２５】
また、制御部１７は、ディスプレイ６に表示された内容、記憶部１１、ＨＦ帯ＩＣ１２内のメモリ領域、ＵＨＦ帯ＩＣ１５内のメモリ領域等に格納された各種情報のうちの少なくとも一部を含むデータをＵＨＦ帯アンテナ１６から手荷物運送システムに送信するための制御を行う。例えば、手荷物運送システムのリーダライタによってＵＨＦ帯ＩＣ１５及び制御部１７に給電が行われる。これによって、制御部１７は、記憶部１１等に格納されたデータをＵＨＦ帯アンテナ１６から手荷物運送システムに送信する制御を行う。手荷物運送システムに対して送信されるデータは、例えば、タグナンバー等である。給電時間や読み取り時間が長く取れる場合には、航空会社名、便名、経由地等を任意に選択して送信しても良い。なお、本実施形態では、ＵＨＦ帯アンテナ１６で誘起された電圧が電源回路１４によって整流されて制御部１７に給電される。
【００２６】
スイッチ１８は、例えばタッチセンサであり、ディスプレイ６における画面アクティベート、表示画像の削除、ページ送りなどのような任意の機能選択に用いられる。このようなスイッチ１８は、ディスプレイ６に形成される静電方式スイッチ等であり、例えばＨＦ帯にて非接触給電された電力がキャパシタ等に蓄電されることによって、使用可能となる。
【００２７】
電子デバイス１は、任意の物体を収容可能なケースに取り付けられる。図４に示されるように、本実施形態では、電子デバイス１がスーツケース１００に取り付けられている。スーツケース１００は、ボディ（ケース）１０５、ハンドル１０６、把持部１０７及びキャスター１０８を有している。ボディ１０５は、身側シェル１０２と、身側シェル１０２に対向する蓋側シェル１０３とを有している。身側シェル１０２は、底板部１０２ａと底板部１０２ａの周囲に立設する側板部１０２ｂとを有している。また、蓋側シェル１０３は上板部１０３ａと上板部１０３ａの周囲に立設する側板部１０３ｂとを有している。身側シェル１０２と蓋側シェル１０３とは互いの側板部１０２ｂ，１０３ｂ同士を合わせた状態で、スライドファスナなどの開閉機構によって開閉自在となっている。ボディ１０５の材料は、例えば、ポリカーボネートやＡＢＳのような樹脂である。
【００２８】
ハンドル１０６及び把持部１０７は、身側シェル１０２に取り付けられている。ハンドル１０６は、伸縮自在に構成されており、身側シェル１０２に収納可能となっている。把持部１０７は、身側シェル１０２の側板部１０２ｂに固定されている。ハンドル１０６及び把持部１０７は、側板部１０２ｂにおけるキャスター１０８が取り付けられている側と対向する側に設けられている。図示例におけるスーツケース１００は、キャスター１０８を４つ有しているが、例えば２つであってもよい。
【００２９】
電子デバイス１は、ボディ１０５に取り付けられている。本実施形態では、図５に示されるように、蓋側シェル１０３における側板部１０３ｂに電子デバイス１が取り付けられている。より詳しくは、側板部１０３ｂにおけるキャスター１０８が取り付けられている側と反対側（対向する側）の面に電子デバイス１が取り付けられている。蓋側シェル１０３の側板部１０３ｂには、電子デバイス１の形状に合致した凹状部１０４が形成されている。凹状部１０４は、矩形状の底面部１０４ａと、底面部１０４ａの周囲に設けられる側面部１０４ｂとを有する。例えば、凹状部１０４の高さは、電子デバイス１の筐体５の厚みと同じか、それより大きくてもよい。電子デバイス１は、凹状部１０４に収容された状態で蓋側シェル１０３に固定される。
【００３０】
電子デバイス１が、凹状部１０４に収容された状態では、筐体５の表側基材２における縁部２ｄの端縁が、側板部１０３ｂの表面よりも内側に入り込んでいる。これにより、ディスプレイ６の表面は、側板部１０３ｂの表面から少なくとも縁部２ｄの高さ分だけ内側に入り込んでいる。
【００３１】
また、凹状部１０４の底面部１０４ａには裏側基材３の縁部３ｃの端縁が当接している。これにより、凹状部１０４の底面部１０４ａから裏側基材３における底板部３ａの表面までに空隙が形成される。なお、例えば、凹状部１０４に電子デバイス１が収容された状態で、電子デバイス１側から透明のアクリルパネルを蓋側シェル１０３に固定することで、電子デバイス１を固定してもよい。
【００３２】
以上説明した電子デバイス１によれば、ディスプレイ６の表面よりも筐体５の端縁が１ｍｍ以上突出して形成されている。そのため、スーツケース１００に対して電子デバイス１が取り付けられた場合であっても、ディスプレイ６に対して他の物体等が当接し難くなる。これにより、ディスプレイ６の損傷が抑制される。また、ＵＨＦ帯アンテナ１６から筐体５の端縁までに１ｍｍ以上の空隙が形成されている。そのため、スーツケース１００に対して電子デバイス１が取り付けられた場合であっても、スーツケース１００の表面とＵＨＦ帯アンテナ１６との間に空間（空隙）が形成される。これにより、ＵＨＦ帯アンテナ１６とスーツケース１００とが離間して配置されるので、ＵＨＦ帯アンテナ１６の通信特性の低下が抑制される。
【００３３】
なお、本実施形態においては、ＵＨＦ帯アンテナ１６から端縁までに５ｍｍ以上の空隙が形成されているので、スーツケース１００の表面とＵＨＦ帯アンテナ１６との間に対して、より大きな空間が形成される。これにより、ＵＨＦ帯アンテナ１６の通信特性の低下がさらに抑制される。
【００３４】
以上、本発明の実施の形態について図面を参照して詳述したが、具体的な構成はこの実施形態に限られるものではない。例えば、収容体としてスーツケース１００を例示したがこれに限定されない。例えば、収容体の種類は、物流向けの輸送箱（折畳コンテナ）、工場等の工程管理に用いられるケース、鉄道輸送や宅配等に用いられる各種サイズのコンテナ、社内便や機密文書処理等に用いられるリユースを前提とした往復書簡用ケースなど、多岐に亘る。
【００３５】
また、電子デバイス１における筐体５の裏側基材３に縁部３ｃを設けることによって、スーツケース１００表面と底板部３ａとの間に空隙を形成する例を示したが、これに限定されない。例えば、スーツケース１００に形成された凹状部１０４における底面部の周縁に凸部を設けてもよい。この場合、凸部が筐体５の底板部に当接することによって、スーツケース１００表面と底板部との間に空隙を形成することができる。
【００３６】
また、電子デバイス１はスーツケース１００のどの部分に取り付けられてもよい。例えば、電子デバイス１は、蓋側シェル１０３における他の面や、上板部１０３ａに設けられてもよい。また、電子デバイス１は、身側シェル１０２に取り付けられてもよく、例えば身側シェル１０２における把持部１０７が設けられている側面に取り付けられてもよい。なお、スーツケース１００においては、一般に、キャスター１０８が設けられている側面が上向きになることが少ない。そのため、キャスター１０８が設けられている側面に対向している側面に電子デバイス１が取り付けられることによって、電子デバイス１が地面に接し難くなる。したがって、ＵＨＦ帯アンテナ１６が地面等から離れた位置になりやすく、視認性が向上されるとともに、ベルトコンベア上における搬送時の通信特性の低下を抑制できる。また、身側シェル１０２及び蓋側シェル１０３はそれぞれ一体成形によって形成されてもよく、分割される構成としてもよい。身側シェル１０２及び蓋側シェル１０３がそれぞれ分割される構成である場合、分割されるパーツ内に電子デバイス１が設けられることによって、製造組立時における電子デバイス１の取付けの手間が低減される。この場合、製品出荷後における電子デバイスの交換が可能となるように、分割されるパーツの設計を行ってもよい。
【００３７】
また、ＨＦ帯の周波数を利用して給電及びデータ通信（データ更新）を行い、ＵＨＦ帯の周波数を利用して記憶データの読み取りを行う例を示したがこれに限定されない。実施形態において記載された周波数帯域は一例であり、任意の周波数帯域であってもよい。例えば、１３．５６ＭＨｚのＨＦ帯の周波数帯域や、それ以外の１次電池、太陽電池や振動素子等の環境発電を用いて、電子デバイスに対して給電し、２．４ＧＨｚのマイクロ波周波数帯域で電子デバイスとデータ通信や画像書換え電力の生成を行うように手荷物運送システムを構成しても良い。一時的に２次電池やキャパシタ等に蓄電し、必要電力の全て又は一部の補助を受けても良い。この場合、手荷物運送システムが、２．４ＧＨｚ帯で、Ｂｌｕｅｔｏｏｔｈ（登録商標）、Ｂｌｕｅｔｏｏｔｈ  ＬＥ（登録商標）、ＡＮＴ（登録商標）通信、又は、無線ＬＡＮ（Ｗｉ−Ｆｉを含む）による通信を用いて、電子デバイス１とデータ通信を行ってもよいし、ＨＦ帯、ＵＨＦ帯アンテナに加えて同時に前記通信方式が存在してもよい。
【００３８】
また、スーツケース１００がポリカーボネート、ＡＢＳ等の樹脂によって形成されている例を示したが、これに限定されない。例えば、スーツケースはアルミニウムやジュラルミンなどの金属によって形成されていてもよい。一般に、無線による通信が行われる場合には、アンテナが金属に接触していると通信特性が低下してしまう。しかしながら、上記の実施形態等のようにアンテナとスーツケースとの間に空隙が形成されていることによって、アンテナが金属に接触することがなく、通信特性の低下を抑制することができる。
【００３９】
また、電子デバイス１における筐体５を形成する材料は、例えば合成樹脂であり特に限定されない。筐体５は１種類の材料によって形成されているのみではなく、２種類以上の材料によって形成されていてもよい。例えば、筐体５における縁部２ｄ、３ｃのみをヤング率の低い弾性体によって形成してもよい。また、筐体５の表面がヤング率の低い弾性体によって被覆される構造であってもよい。さらに、自動車等に広く採用されるクラッシャブル構造にてディスプレイ６や制御部１７等の機能を満足させるための重要部材保護を優先し、筐体やケースの代替破壊を促す構造を採用してもよい。加えて、筐体５自身の機能をスーツケース１００側に持たせ、筐体を省いた形で、アンテナ形成された基板を直接スーツケース１００へ固定してもよい。
【００４０】
また、ＵＨＦ帯ＩＣ１５は２つ以上の外部インターフェースを有しており、一方がＵＨＦ帯アンテナ１６と電気接続、他方が制御部１７と接続していても良い。さらには、制御部１７を介して各種構成デバイスと接続しても良い。また、ディスプレイとＵＨＦ帯アンテナとは平行して設置されていなくても良く、アンテナの受信部はディスプレイ近傍と平行な面でなくても良い。
【符号の説明】
【００４１】
１…電子デバイス、５…筐体、６…ディスプレイ、１７…制御部、１６…ＵＨＦ帯アンテナ（アンテナ）、１００…スーツケース（収容体）、１０５…ボディ。
【図１】
0006565348.tif 000002
【図２】
0006565348.tif 000003
【図３】
0006565348.tif 000004
【図４】
0006565348.tif 000005
【図５】
0006565348.tif 000006